(57)【要約】【課題】場所に関わらず所望の美術品を観覧することができ、移動中に展示情報を閲覧できる無線通信を用いた展示情報サービスシステム及び方法を提供するところにある。【解決手段】要求された信号に対応する情報を提供する展示情報サービスシステムにおいて、サービス領域に位置する無線端末機との接続を準備し、前記無線端末機に対する情報をネットワークを介して出力する無線接続装置と、前記ネットワークを介して入力された情報に対応する情報サービスに対するプロセスを行う展示情報サーバーと、を備えることを特徴とする無線通信を用いた展示情報サービスシステム。【選択図】図２
2006304292.tif 000002
【特許請求の範囲】
【請求項１】
要求された信号に対応する情報を提供する展示情報サービスシステムにおいて、
サービス領域に位置する無線端末機との接続を準備し、前記無線端末機に対する情報をネットワークを介して出力する無線接続装置と、
前記ネットワークを介して入力された情報に対応する情報サービスに対するプロセスを行う展示情報サーバーと、を備えることを特徴とする無線通信を用いた展示情報サービスシステム。
【請求項２】
前記無線接続装置は、
前記無線端末機から受信された信号を前記展示情報サーバーにネットワークを介して転送し、前記展示情報サーバーからネットワークを介して出力されたデータを受信する有線通信処理部と、
前記無線端末機から送り出された信号を受信し、前記展示情報サーバーからネットワークを介して出力され前記有線通信処理部に受信されたデータに対する送出要求信号に応じて空気中に前記データを送り出す有線通信処理部と、を備えることを特徴とする請求項１に記載の無線通信を用いた展示情報サービスシステム。
【請求項３】
前記無線接続装置は、前記無線端末機から接続要求信号が入力されれば、接続に必要なアドレスを設定して前記無線端末機と交信し、該無線端末機の接続または接続解除を制御する制御部をさらに備えることを特徴とする請求項２に記載の無線通信を用いた展示情報サービスシステム。
【請求項４】
前記無線接続装置は、前記無線端末機から受信された信号をネットワークを介して転送できるデータ形態に変換し、前記展示情報サーバーから受信されたデータを空気を通して転送できるデータ形態に変換するデータ変換部をさらに備えることを特徴とする請求項３に記載の無線通信を用いた展示情報サービスシステム。
【請求項５】
前記展示情報サーバーは、
前記ネットワークを介して出力された無線端末機の情報から前記無線端末機と前記無線接続装置との円滑な通信を処理するインタフェース処理部と、
該インタフェース処理部により処理されたデータを判読して前記無線接続装置をして前記無線端末機との接続または接続解除を設定せしせる接続/解除選択処理部と、
該接続/解除選択処理部により接続設定が選択処理されれば、前記無線接続装置と接続された前記無線端末機をして展示している展示品に対する情報を閲覧できるよう展示関連情報メニューが含まれたデータを提供せしめる展示メニュー提供部と、
前記無線接続装置から転送されたデータを入力され、前記展示メニュー提供部の出力データについて前記無線端末機によるメニュー選択信号に応ずる情報を出力する入出力データ処理部と、を備えることを特徴とする請求項１に記載の無線通信を用いた展示情報サービスシステム。
【請求項６】
前記展示情報サーバーは、
前記展示品に対する展示情報を提供するために展示中の展示品に対する情報を保存する展示データベースをさらに備えることを特徴とする請求項５に記載の無線通信を用いた展示情報サービスシステム。
【請求項７】
前記展示情報サーバーは、
前記無線端末機と接続された前記無線接続装置に対する位置情報と展示された展示品情報閲覧のために前記無線端末機により選択された展示品に対するデータを保存する無線接続装置データベースをさらに備えることを特徴とする請求項６に記載の無線通信を用いた展示情報サービスシステム。
【請求項８】
前記展示情報サーバーは、
前記無線接続装置と接続された前記無線端末機の情報を保存する無線接続情報データベースをさらに備えることを特徴とする請求項７に記載の無線通信を用いた展示情報サービスシステム。
【請求項９】
要求された信号に対応する展示情報を提供する展示情報サービス方法において、
サービス領域に位置する無線端末機との接続を準備し、前記無線端末機に対する情報をネットワークを介して出力するための無線接続段階と、
ネットワークを介して入力された情報に対応する情報サービスに対するプロセスを行う展示情報サービス段階と、を備えることを特徴とする無線通信を用いた展示情報サービス方法。
【請求項１０】
前記無線接続段階は、
前記無線端末機から接続要求信号があるか否かを判断する段階と、
前記展示情報を提供する展示情報サーバーと接続された無線接続装置と前記無線端末機に対する接続命令信号を転送する段階と、
接続された前記無線端末機に展示関連情報提供のためのメニューが含まれた初期画面データを提供する段階と、を備えることを特徴とする請求項９に記載の無線通信を用いた展示情報サービス方法。
【請求項１１】
前記展示情報サービス段階は、
前記提供された初期画面データについて前記無線端末機から情報閲覧のための展示品に対する選択信号があるのかを判断する段階と、
前記選択された信号に応ずる展示品の展示情報を提供する段階と、を備えることを特徴とする請求項１０に記載の無線通信を用いた展示情報サービス方法。
【請求項１２】
前記展示情報が展示品に対するものならば、前記展示情報は展示品に対する作品解説及び画家に対する情報を含むことを特徴とする請求項１１に記載の無線通信を用いた展示情報サービス方法。
【請求項１３】
前記作品解説に対する情報は、展示品に対するジャンル、作品の構成、表現技法、製作過程、鑑賞法、鑑賞記のうち一種以上を含むことを特徴とする請求項１２に記載の無線通信を用いた展示情報サービス方法。
【請求項１４】
前記展示品の展示情報を提供する段階は、
前記無線端末機にサービスの可能な無線接続装置と接続されているのかを確認する段階と、
前記確認された情報に基づき選択された展示品に対する展示情報を提供する段階と、を備えることを特徴とする請求項１１に記載の無線通信を用いた展示情報サービス方法。
【請求項１５】
前記サービスが可能な無線接続装置を確認する段階は、
前記無線端末機に接続された前記無線接続装置及び前記無線端末機により選択された展示品に対する位置を検索する段階と、
前記検索された位置を通して前記無線接続装置が前記無線端末機を介して選択された展示品についてサービスを行うよう設定された無線接続装置であることを判断する段階と、を備えることを特徴とする請求項１４に記載の無線通信を用いた展示情報サービス方法。
【請求項１６】
サービス判断によりサービスの遂行が不可能な無線接続装置と判断されれば、前記無線接続装置をして前記無線端末機との接続解除命令信号を転送せしめる段階と、
前記接続解除命令により前記無線接続装置と接続解除された無線端末機についてサービスを行うよう設定された無線接続装置と接続して選択された信号に応じて展示情報サービスを提供する段階と、を備えることを特徴とする請求項１５に記載の無線通信を用いた展示情報サービス方法。
【請求項１７】
前記選択された展示品に対する展示情報を提供する段階は、
前記選択信号に応ずる展示品に対する展示情報に対応する詳細メニューを提供する段階と、
前記提供された詳細メニューに対応する選択信号に応じて選択された対象展示品に対する詳細情報を提供する段階と、を備えることを特徴とする請求項１４に記載の無線通信を用いた展示情報サービス方法。
【請求項１８】
要求された信号に対応する展示情報を提供する展示情報サービス方法において、
サービス領域に位置する無線端末機について無線で通信するための接続を準備する接続準備段階と、
接続信号に応じて前記無線端末機と無線で接続する段階と、
前記無線端末機にサービスのための初期画面を送出する段階と、を備えることを特徴とする無線通信を用いた展示情報サービス方法。
【請求項１９】
前記無線端末機から初期画面に対する選択信号に応じてサービスを行う段階を備えることを特徴とする請求項１８に記載の無線通信を用いた展示情報サービス方法。
【請求項２０】
要求された信号に対応する展示情報を提供する展示情報サービス方法において、
サービス区域に位置する無線接続装置と無線で接続するために接続を準備する段階と、
前記無線接続装置からサービス閲覧のための初期画面を受信される段階と、を備えることを特徴とする無線通信を用いた展示情報サービス方法。
【請求項２１】
前記初期画面からサービスを要求するためにメニューを選択する段階と、
前記展示情報を閲覧できる無線端末機により選択されたメニューに対応する情報を提供される段階と、を備えることを特徴とする請求項２０に記載の無線通信を用いた展示情報サービス方法。
【発明の詳細な説明】
【技術分野】
【０００１】
本発明は展示品に対する情報サービスに係り、さらに詳細には無線通信を用いた展示情報サービスシステム及び方法に関する。
【背景技術】
【０００２】
一般に、美術品の展示は美術品展示室のような空間に展示して展示された美術品を鑑賞するようにされている。
【０００３】
このように展示された美術品を鑑賞しようとする場合、美術品が展示された場所に直接に訪問して提供される案内文を通して美術品に対する情報を確認する。
【０００４】
図１は従来の美術品に対する情報を記録した案内文を示した図である。
【０００５】
同図を参照すれば、案内板２には展示された美術品１に対する情報が記録されている。
【０００６】
このように案内板２を用いる場合、制限された大きさにより限られた情報のみを記録するしかない。
【０００７】
美術品が展示されている展示場で展示されている美術品の周りが観覧客により混んでいる場合、視覚的に美術品が見られる遠距離で美術品を観覧すべき時、案内板２に記録された情報の判読が不可能なので所望の鑑賞に問題点がある。
【０００８】
一方、インターネットを介して美術品を観覧しようとする場合は、一般にインターネットが可能なコンピュータ(図示せず)とインターネット通信システム(図示せず)及びインターネットサービス網(図示せず)が構築されている特定場所でのみ展示情報を閲覧することが可能である。このようなインターネットを介した展示情報閲覧は展示されている美術品を観覧しながら移動中に展示情報を閲覧することが困難である。
【発明の開示】
【発明が解決しようとする課題】
【０００９】
本発明は前述したような問題点を解決するために案出されたもので、その目的は場所に関わらず所望の美術品を観覧することができ、移動中に展示情報を閲覧できる無線通信を用いた展示情報サービスシステム及び方法を提供するところにある。
【課題を解決するための手段】
【００１０】
本発明の無線通信を用いた展示情報サービスシステムは、展示品が展示されている展示室から要求された信号に対応する展示情報を提供する展示情報サービスシステムにおいて、無線端末機から受信された信号に対応する情報をネットワークを介して出力し、ネットワークにより入力されたデータに対応する情報を空気を通して無線端末機に送出する無線接続装置、及びネットワークを介して入力されたデータに対応する展示情報サービスに対するプロセスを行う展示情報サーバーと、を備える。
【００１１】
一方、本発明の無線通信を用いた展示情報サービス方法は、展示品が展示されている展示室から要求された信号に対応する展示情報を提供する展示情報サービス方法において、無線端末機から受信された信号に対応する情報をネットワークを介して出力し、ネットワークにより入力されたデータに対応する情報を空気を通して無線端末機に送出する無線接続段階、及びネットワークを介して入力されたデータに対応する展示情報サービスに対するプロセスを行って展示情報を提供する展示情報サービス段階と、を備える。
【発明を実施するための最良の形態】
【００１２】
以下、添付した図面に基づき本発明に係る無線通信を用いた展示情報サービスシステム及び方法について説明する。
【００１３】
図２は本発明に係る無線通信を用いた展示情報サービスシステムを示したブロック図である。
【００１４】
図面を参照すれば、展示情報サービスシステムは、展示情報に対する要求信号に対応する情報を提供する展示情報サーバー１０、及び無線端末機３と展示情報サーバー１０とのデータを送受信する無線接続装置３０、４０を備える。
【００１５】
ここで、展示情報サーバー１０は、ネットワーク７を介して入力されたデータに対応する展示情報サービスに対するプロセスを行う。
【００１６】
無線接続装置３０、４０は空気を通してデータを送受信する無線端末機３から送出された信号が受信されれば、受信された信号に対応する情報をネットワーク７を介して展示情報サーバー１０に出力し、展示情報サーバー１０でネットワーク７を介して入力されたデータに対応する情報を空気を通して無線端末機３に送出する。
【００１７】
無線接続装置３０、４０と無線端末機３との通信は無線通信方式の一つであるブルートゥースを用いることが望ましい。
【００１８】
このため、無線端末機３及び無線接続装置３０、４０にはブルートゥース通信を支援するブルートゥースモジュール(図示せず)が内蔵されている。
【００１９】
ブルートゥースは音声データ、ビデオデータのような情報を１０ないし１００ｍ内の距離で無線で最大１Ｍｂｐｓ速度で転送できる通信技術である。従って、近距離で無線通信を用いたデータの送受信に適した通信方式である。
【００２０】
ブルートゥース通信方式により相互通信ができるようになったブルートゥース機器はインクワイアリ(Inquiry)、インクワイアリスキャン(Inquiry Scan)、ページ(Page)、ページスキャン(Page Scan)のような動作遂行のために通信可能な接続状態を構成する。この過程においてその役割によりマスター機器とスレーブ機器が定まる。本発明では無線接続装置３０、４０は常にマスターになり、無線端末機３は常にスレーブになるようにする。
【００２１】
インクワイアリはマスター機器で行われ、マスター機器の動作周波数をスレーブ機器に送出する過程を示す。
【００２２】
インクワイアリスキャンはスレーブ機器で行われることで、受信された周波数を検出し、検出された同期を合わせる過程を指す。
【００２３】
ページは、マスターの動作クロックにスレーブ機器が合わせられるようマスター機器からクロック信号を送出する過程を指す。
【００２４】
ページスキャンは、スレーブ機器が受信されたクロックを検出して同期合わせすることを指す。
【００２５】
以下の説明では無線接続装置３０、４０をして無線端末機３にサービス提供を可能にさせる領域により、第１領域３１及び第２領域４１に区分する場合もある。従って、第１領域無線接続装置３０は、第１領域３１に展示されている展示品、例えば美術品に対する情報を展示情報サーバー１０から提供され第１領域３１内に位置して展示情報を要求した無線端末機３にサービス中継をする。また、第２領域無線接続装置４０は、第２領域４１に展示されている美術品に対する情報を展示情報サーバー１０から提供され第２領域４１に位置して展示情報を要求した無線端末機３にサービス中継をする。
【００２６】
第２領域４１に位置した無線端末機３を通して展示されている美術品に対する展示情報を閲覧しようとする場合、インクワイアリを送出するそれぞれの無線接続装置３０、４０に接続を要求するインクワイアリスキャンを送出する。送出された情報に基づきそれぞれの無線接続装置３０、４０は無線端末機３の情報をネットワーク７を介して展示情報サーバー１０に転送する。
【００２７】
無線端末機３に対する情報を受信された展示情報サーバー１０から第１領域無線接続装置３０をして接続を要求した無線端末機３と接続設定をするよう第１領域無線接続装置３０にデータを転送せしめると、接続設定データを受信された第１領域無線接続装置３０は空気を通して無線端末機３に転送する。
【００２８】
この際、第１領域無線接続装置３０は、空気を通して接続された無線端末機３に対する接続情報をネットワーク７を介して展示情報サーバー１０に転送させる。
【００２９】
接続情報を受信された展示情報サーバー１０は、展示美術品に対する展示情報選択メニューの含まれた初期画面データを無線端末機３に送出するよう第１領域無線接続装置３０にネットワーク７を介して転送する。
【００３０】
初期画面データを受信された第１領域無線接続装置３０はネットワーク７を介して無線端末機３に初期画面データを送出する。
【００３１】
初期画面データを受信された無線端末機３の表示装置(図示せず)により液晶画面３ａに表示された展示情報選択メニューからユーザーにより選択された対象美術品に対する選択信号は第１領域無線接続装置３０を経て展示情報サーバー１０に転送される。
【００３２】
この際、選択信号を受信された展示情報サーバー１０は、第１領域無線接続装置３０に対する位置を確かめて選択された対象美術品に対する展示情報サービスが可能ならば、選択された対象美術品に対する展示情報を第１領域無線接続装置３０を経て無線端末機３に転送する。この際、無線端末機３に受信された情報はユーザーにより保存及び編集が可能であり、選択された対象美術品に対する追加の情報を必要とする場合、第１領域無線接続装置３０を経て展示情報サーバー１０と追加の展示情報に対する送受信を行う。
【００３３】
一方、各領域をカバーする無線接続装置３０を通して提供する展示品の情報サービスは該当カバー領域内の展示品に制限するよう展示情報サーバー１０が構築されうる。
【００３４】
この場合、第１領域無線接続装置３０に対する位置を確かめて選択された対象美術品に対する展示情報サービスが不可能ならば、展示情報サーバー１０は第１領域無線接続装置３０をして無線端末機３との接続を解除するようネットワーク７を介して第１領域無線接続装置３０に接続解除命令データを転送せしめる。こうして受信されたデータに基づき第１領域無線接続装置３０は無線端末機３と接続を解除する。
【００３５】
接続が解除された状況で展示情報サーバー１０は無線端末機３をして選択された対象美術品に対するサービスの可能な無線接続装置を選択して無線端末機３の接続設定命令データを転送せしめる。
【００３６】
もし、サービスの可能な無線接続装置が第２領域無線接続装置４０ならば、展示情報サーバー１０は第２領域無線接続装置４０をして無線端末機３と接続を設定するようデータを転送せしめる。接続設定命令データを受信された第２領域無線接続装置４０は無線端末機３にインクワイアリを送出する。送出された信号を受信した無線端末機３はインクワイアリスキャンを第２領域無線接続装置４０に送出する。この際、第２領域無線接続装置４０はインクワイアリスキャンを通した無線端末機３の情報を展示情報サーバー１０に転送し、無線端末機３と接続を設定し接続された無線端末機３に対する接続情報を展示情報サーバー１０に転送する。
【００３７】
接続情報を受信された展示情報サーバー１０は、選択された対象美術品に対する展示情報を無線端末機３に送出するよう第２領域無線接続装置４０にネットワーク７を介して転送する。
【００３８】
対象美術品に対する展示情報を受信された第２領域無線接続装置４０は、ネットワーク７を介して無線端末機３に対象美術品に対する展示情報を送出する。この際、無線端末機３に受信された情報はユーザーによって保存及び編集が可能であり、選択された対象美術品に対する追加の情報を必要とする場合、第２領域無線接続装置４０を経て展示情報サーバー１０と追加の展示情報に対する送受信を行う。
【００３９】
図３は図２の展示情報サーバー１０の構成例を示したブロック図である。
【００４０】
同図を参照すれば、展示情報サーバー１０はインタフェース処理部１１、接続/解除選択処理部１３、展示メニュー提供部１５、入出力データ処理部１７と、を備える。
【００４１】
インタフェース処理部１１は、ネットワーク７を介して出力された無線端末機３の情報から無線端末機３と無線接続装置３０、４０との円滑な通信を処理する。
【００４２】
接続/解除選択処理部１３は、展示情報サーバー１０から転送されインタフェース処理部１１により処理されたデータを通して無線接続装置３０、４０をして無線端末機３との接続及び接続解除を設定せしめる。
【００４３】
展示メニュー提供部１５は、接続/解除選択処理部１３により接続設定が選択処理されれば、それぞれの無線接続装置３０、４０と空気(air)中に形成されたチャネルを通して接続された無線端末機３をして展示している美術品に対する情報を閲覧できるよう展示関連情報メニューが含まれたデータを提供せしめる。
【００４４】
入出力データ処理部１７は、それぞれの無線接続装置３０、４０から転送されたデータを入力され、展示メニュー提供部１５の出力データについて無線端末機３によるメニュー選択信号に対応する情報を出力する。
【００４５】
一方、展示情報サーバー１０は、入力された信号について円滑な展示情報サービス処理のための展示データベース２１、無線接続装置データベース２３、無線接続情報データベース２５を備えることが望ましい。
【００４６】
展示データベース２１は、展示品に対する展示情報を提供するために展示中の美術品に対する情報を保存する。
【００４７】
無線接続装置データベース２３は、無線端末機３と接続された無線接続装置３０、４０に対する位置情報と展示された美術品情報閲覧のために無線端末機３によって選択された美術品に対するデータを保存する。
【００４８】
無線接続情報データベース２５は、前記無線接続装置と接続された無線端末機３の情報を保存する。
【００４９】
図４は図２の無線接続装置３０、４０の構成を示したブロック図である。
【００５０】
同図を参照すれば、それぞれの無線接続装置３０、４０は、有線通信処理部４２、無線通信処理部４４、制御部４６、データ変換部４８と、を備える。
【００５１】
有線通信処理部４２は、無線端末機３から受信された信号を展示情報サーバー１０にネットワーク７を介して転送し、展示情報サーバー１０からネットワーク７を介して出力されたデータを受信する。
【００５２】
無線通信処理部４４は、無線端末機３から空気を通して送出された信号を受信し、展示情報サーバー１０からネットワーク７を介して出力され有線通信処理部４２に受信されたデータに対する送出要求信号に応じて空気中にデータを送出する。
【００５３】
制御部４６は、無線端末機３から接続要求信号が入力されれば、識別のためのアドレス付与など接続状態で通信するために要求される条件を設定し、設定されたアドレスにより無線端末機３と交信されうるよう各要素を制御する。
【００５４】
データ変換部４８は、無線端末機３から受信された信号をネットワーク７を介して転送できるデータ形態に変換し、展示情報サーバー１０から受信されたデータを空気を通して転送できるデータ形態に変換する。
【００５５】
図５はこのようなサービスを支援するための各装置のプロトコルスタックの例を示したブロック図である。
【００５６】
同図を参照すれば、展示情報サーバー１０はラン(LAN;Local Area Network)、インターネットプロトコル(IP;Internet Protocol)、転送制御プロトコル/ユーザーデータプロトコル(TCP/UDP;Transmission Control Protocol/User Data  Protocol)、ハイパーテキスト転送プロトコル(HTTP;HyperText Transfer Protocol)、応用プロトコル(Application Protocol)で構成される。
【００５７】
従って、ネットワーク７を介したデータの送受信と無線端末機３から要求された信号に対応する情報を提供するプロトコルを含む。
【００５８】
無線接続装置３０、４０は、ラン(LAN;Local Area Network)、ポイントツーポイントネットワーキング、応用プロトコルを通して展示情報サーバー１０とデータを交換する。また、無線接続装置３０、４０は基底帯域(BaseBand)、リンク管理プロトコル(ＬＭＰ;Link manager Protocol)、論理リンク制御及び適応プロトコル(Ｌ２ＣＡＰ;Logical Link Control and Adaptation Protocol)、直列ケーブルエミュレーションプロトコル(ＲＦＣＯＭＭ;Serial Cable Emulation Protocol)、サービス検索プロトコル(ＳＤＰ;Service Discovery Protocol)、ポイントツーポイントプロトコル(ＰＰＰ;Point to Point Protocol)、ポイントツーポイントネットワーキングを通して無線端末機３とデータを交換する。従って、無線接続装置３０、４０は展示情報サーバー１０と無線端末機３との間で受信されたデータを中継し、ポイントツーポイントネットワーキング及び応用プロトコルを通して展示情報サーバー１０から入力されたデータに応ずるよう無線端末機３を制御する。 
【００５９】
無線端末機３は、基底帯域、リンク管理プロトコル、論理リンク制御及び適応プロトコル、註釈のための要求、サービス検索プロトコル、ポイントツーポイントプロトコル、インターネットプロトコル、転送制御プロトコル/ユーザーデータプロトコル、ハイパーテキスト転送プロトコル、応用プロトコルとから構成される。 
【００６０】
従って、無線端末機３は無線接続装置３０、４０を通してデータを送受信し、受信されたデータについて保存及び編集することができる。 
【００６１】
図６は本発明に係る無線通信を用いた展示情報サービス方法を示したフローチャートである。 
【００６２】
まず、無線端末機３から送出された信号が受信されれば、受信されたデータに対応する情報をネットワーク７を介して出力し、ネットワーク７から入力されたデータに対応する情報を無線端末機３に送出する無線接続段階(Ｓ１００)、及びネットワーク７を介して入力されたデータに対応する展示情報サービスに対するプロセスを行って展示情報を提供する展示情報サービス段階(Ｓ３００)と、を備える。 
【００６３】
図７は図６の無線接続段階(Ｓ１００)及び展示情報サービス段階(Ｓ３００)を詳細に示したフローチャートである。 
【００６４】
同図を参照すれば、無線接続段階(Ｓ１００)は無線端末機３から接続要求信号があるのかを判断する段階(Ｓ１１０)と、接続要求信号に応じて無線接続装置４０と無線端末機３に対する接続命令信号を転送する段階(Ｓ１３０)、及び接続命令信号に応じて接続された無線端末機３に展示関連情報提供のためのメニューが含まれた初期画面データを提供する段階(Ｓ１５０)と、を備える。 
【００６５】
展示情報サービス段階(Ｓ３００)は、提供された初期画面データについて無線端末機３から情報閲覧を所望の展示品、例えば美術品に対する選択信号があるか否かを判断する段階(Ｓ３１０)、及び選択された信号に応ずる美術品の展示情報を提供する段階(Ｓ３３０)と、を備える。 
【００６６】
ここで、展示情報は選択された美術品に対する作品解説及び画家に対する情報を備える。 
【００６７】
また、作品解説に対する情報は選択された美術品に対するジャンル、作品の構成、表現技法、製作過程、鑑賞法、鑑賞記のうち１種以上を含むことが望ましい。 
【００６８】
図８は図７の選択された美術品に対する展示情報提供段階(Ｓ３３０)を詳細に示したフローチャートである。 
【００６９】
図面を参照すれば、選択された美術品の展示情報を提供する段階(Ｓ３３０)は、無線端末機３を通して選択された美術品に対するサービスを行う無線接続装置４０と接続されているのかを確認する段階（Ｓ４００）、及び確認された情報に基づき選択された対象美術品に対する展示情報を提供する段階(Ｓ５００)と、を備える。 
【００７０】
この際、サービス可能な無線接続装置確認段階(Ｓ４００)は、無線端末機３に接続された無線接続装置４０に対する位置と、無線端末機３により選択された対象美術品に対する位置とを検索する段階(Ｓ４１０)、及び検索された位置を通して無線接続装置４０が無線端末機３を介して選択された対象美術品に対するサービスを行うよう設定された無線接続装置４０であるかを判断する段階(Ｓ４３０)とを、備える。 
【００７１】
段階Ｓ５００ではサービス領域無線接続装置４０が選択された美術品に対するサービスを行うよう設定された無線接続装置４０ならば、選択された美術品に対する展示情報に対応する細部メニューを提供する段階(Ｓ５１０)、及び提供された細部メニューに対する選択信号に応じて選択された対象美術品に対する詳細情報を提供する段階(Ｓ５３０)と、を備える。 
【００７２】
一方、段階Ｓ４３０において無線接続装置４０が選択された美術品に対するサービスを行うよう設定されたものでなければ、無線接続装置４０をして無線端末機３との接続解除命令信号を転送せしめる段階(Ｓ４５０)、及び接続解除命令により無線接続装置４０と接続解除された無線端末機３に対して選択された美術品についてサービスを行うよう設定された他の無線接続装置と接続して、選択された美術品の展示情報サービスを提供する段階(Ｓ４７０)を備えることが望ましい。 
【００７３】
図９は図６による動作過程を示したフローチャートである。 
【００７４】
同図を参照すれば、無線端末機３を通して展示関連情報を閲覧するためにインクワイアリ(Ｓ６００、Ｓ６３０)による周波数同期を合わせるインクワイアリスキャンをそれぞれの無線接続装置３０、４０に送出する(Ｓ６１０、Ｓ６４０)。送出された信号を受信された無線接続装置３０、４０は、サービス領域内に位置する無線端末機３に対する情報を展示情報サーバー１０に転送する(Ｓ６２０、Ｓ６５０)。 
【００７５】
無線端末機３に対する情報を受信された展示情報サーバー１０から第１領域無線接続装置３０をして接続を要求した無線端末機３と接続設定をするよう第１領域無線接続装置３０にデータを転送(Ｓ６６０)せしめると、接続設定データを受信された第１領域無線接続装置３０は無線端末機３と接続する(Ｓ６７０)。 
【００７６】
この際、第１領域無線接続装置３０は、接続された無線端末機３に対する接続情報をネットワーク７を介して展示情報サーバー１０に転送する(Ｓ６８０)。 
【００７７】
接続情報を受信された展示情報サーバー１０は、展示美術品に対する展示情報選択メニューの含まれた初期画面データを無線端末機３に送出するよう第１領域無線接続装置３０にネットワーク７を介して転送する(Ｓ６９０)。 
【００７８】
初期画面データを受信された第１領域無線接続装置３０は、空気を通して無線端末機３に初期画面データを送出する(Ｓ７００)。 
【００７９】
初期画面データを受信された無線端末機３の画面に表示された展示情報選択メニューからユーザーにより展示情報閲覧を所望の美術品に対する選択信号が第１領域無線接続装置３０に受信(Ｓ７１０)されれば、第１領域無線接続装置３０は選択された信号を展示情報サーバー１０にネットワーク７を介して転送される(Ｓ７２０)。 
【００８０】
以上のように選択信号を受信された展示情報サーバー１０は、第１領域無線接続装置３０に対する位置を確認して選択された対象美術品に対する展示情報サービスが可能ならば、選択された対象美術品に対する展示情報を第１領域無線接続装置３０に転送する(Ｓ７３０)。第１領域無線接続装置３０は受信された展示情報を無線端末機３に転送する(Ｓ７４０)。選択された美術品に対する追加の情報要求信号に応じて第１領域無線接続装置３０を経て展示情報サーバー１０と追加の展示情報に対する送受信を行う(Ｓ７５０)。 
【００８１】
図１０は図６による無線端末機と接続された無線接続装置がサービス不可能な場合、展示情報サーバーによる展示情報サービス段階を示したフローチャートである。 
【００８２】
図面を参照すれば、第１領域無線接続装置３０に対する位置を確認して選択された対象美術品に対する展示情報サービスが不可能ならば、展示情報サーバー１０は、第１領域無線接続装置３０をして無線端末機３との接続を解除するようネットワーク７を介して第１領域無線接続装置３０に接続解除命令データを転送せしめる(Ｓ８００)。このように受信されたデータに基づき第１領域無線接続装置３０は無線端末機３と接続を解除する(Ｓ８１０)。 
【００８３】
もし、サービスの可能な無線接続装置が第２領域無線接続装置４０ならば、展示情報サーバー１０は第２領域無線接続装置４０をして無線端末機３と接続を設定するよう接続設定命令データを転送せしめる(Ｓ８２０)。接続設定命令データを受信された第２領域無線接続装置４０は無線端末機３にインクワイアリを送出する(Ｓ８３０)。送出された信号を受信した無線端末機３は、インクワイアリスキャンを第２領域無線接続装置４０に送出する(Ｓ８４０)。この際、第２領域無線接続装置４０は、インクワイアリスキャンを通した無線端末機３の情報を展示情報サーバー１０に転送(Ｓ８５０)し、無線端末機３と接続を設定(Ｓ８６０)し、接続された無線端末機３に対する接続情報を展示情報サーバー１０に転送する(Ｓ８７０)。 
【００８４】
接続情報を受信された展示情報サーバー１０は、選択された美術品に対する展示情報を無線端末機３に送出するよう第２領域無線接続装置４０にネットワーク７を介して転送する(Ｓ８８０)。 
【００８５】
選択された美術品に対する展示情報を受信された第２領域無線接続装置４０はネットワーク７を介して無線端末機３に対象美術品に対する展示情報を送出する(Ｓ８９０)。選択された対象美術品に対する追加の情報要求信号に応じて第２領域無線接続装置４０を経て展示情報サーバー１０と追加の展示情報に対する送受信を行う(Ｓ９００)。 
【００８６】
以上の本発明では展示品として美術品を例として説明したが、他の展示品、例えば家電製品、書籍、広告用品、記録媒体などのように形状を有するものに対する展示の可能なものについても同じく適用されうる。 
【００８７】
また、本発明は品物に限らず、情報を提供できる場所における情報サービス提供についても同一に適用されうる。例えば、書店における図書情報、市場における物品情報、道路における交通情報など特定無線接続装置を通してサービス提供の可能な場所では本発明に係るサービス提供は同一に適用されうる。 
[発明の効果]
【００８８】
以上述べた通り、本発明に係る無線通信を用いた展示情報サービスシステム及び方法によれば、多数の無線端末機を通して展示場に展示されている展示品に対する展示情報を一度に閲覧することが可能であり、移動中に無線端末機を通して必要な展示情報を閲覧することができる。また、展示情報の転送はネットワーク及び空気を通してデータに転送するため、無線端末機で受信された展示情報はユーザーの要求によりデータの修正及び追加が可能な効果を奏でる。 
【００８９】
本発明は前述した特定の望ましい実施形態に限らず、請求の範囲で請求する本発明の要旨を逸脱せず当該発明の属する技術分野において通常の知識を持つ者ならば誰でも多様な変形実施が可能であることは勿論、そのような変更は記載された請求の範囲内にある。
【図面の簡単な説明】
【００９０】
【図１】従来の展示された美術品情報に対する案内文を示した図である。
【図２】本発明に係る無線通信を用いた展示情報サービスシステムを示したブロック図である。
【図３】図２の展示情報サーバーの構成を示したブロック図である。
【図４】図２の無線接続装置の構成を示したブロック図である。
【図５】図２によるプロトコルスタックの例を示したブロック図である。
【図６】本発明に係る無線通信を用いた展示情報サービス過程を示したフローチャートである。
【図７】図６の無線通信を用いた展示情報サービス過程を詳細に示したフローチャートである。
【図８】図７の選択された展示品に対する展示情報提供過程を詳細に示したフローチャートである。
【図９】図６によるサービス過程を示したフローチャートである。
【図１０】図６による無線端末機と接続された無線接続装置がサービス不可能な場合、展示情報サーバーによる展示情報サービス段階を示したフローチャートである。
【符号の説明】
【００９１】
１  展示された美術品
２  案内板
３  無線端末機
３ａ  液晶画面
７  ネットワーク
１０  展示情報サーバー
１１  インターフェイス処理部
１３  接続／解除選択処理部
１５  展示メニュー提供部
１７  入出力データ処理部
２１  展示データベース
２３  無線接続装置データベース
２５  無線接続情報データベース
３０  第１領域無線接続装置
３１  第１領域（第１領域無線接続装置にサービス可能な区域）
４０  第２領域無線接続装置
４１  第２領域（第２領域無線接続装置にサービス可能な区域）
４２  有線通信処理部
４４  無線通信処理部
４６  制御部
４８  データ変換部
【図１】
2006304292.tif 000003
【図２】
2006304292.tif 000004
【図３】
2006304292.tif 000005
【図４】
2006304292.tif 000006
【図５】
2006304292.tif 000007
【図６】
2006304292.tif 000008
【図７】
2006304292.tif 000009
【図８】
2006304292.tif 000010
【図９】
2006304292.tif 000011
【図１０】
2006304292.tif 000012
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
要求された信号に対応する情報を提供する展示情報サービスシステムにおいて、
サービス領域に位置する無線端末機との接続を準備し、前記無線端末機に対する情報をネットワークを介して出力する無線接続装置と、
前記ネットワークを介して入力された情報に対応する情報サービスに対するプロセスを行う展示情報サーバーと、を備え、
前記展示情報サーバーは、
前記ネットワークを介して出力された無線端末機の情報から前記無線端末機と前記無線接続装置との円滑な通信を処理するインタフェース処理部と、
該インタフェース処理部により処理されたデータを判読して前記無線接続装置をして前記無線端末機との接続または接続解除を設定せしめる接続/解除選択処理部と、
該接続/解除選択処理部により接続設定が選択処理されれば、前記無線接続装置と接続された前記無線端末機をして展示している展示品に対する情報を閲覧できるよう展示関連情報メニューが含まれたデータを提供せしめる展示メニュー提供部と、
前記無線接続装置から転送されたデータを入力され、前記展示メニュー提供部の出力データについて前記無線端末機によるメニュー選択信号に応ずる情報を出力する入出力データ処理部と、を備え、
前記展示情報サーバーは、前記展示品に対する展示情報を提供するために展示中の展示品に対する情報を保存する展示データベースをさらに備え、
前記展示情報が展示品に対するものならば、前記展示情報は展示品に対する作品解説及び画家に対する情報を含み、
前記無線端末機と前記無線接続装置との通信はブルートゥース通信方式を介して行われる
ことを特徴とする無線通信を用いた展示情報サービスシステム。 
【請求項２】
前記無線接続装置は、前記無線端末機から受信された信号を前記展示情報サーバーにネットワークを介して転送し、前記展示情報サーバーからネットワークを介して出力されたデータを受信する有線通信処理部と、前記無線端末機から送り出された信号を受信し、前記展示情報サーバーからネットワークを介して出力され前記有線通信処理部に受信されたデータに対する送出要求信号に応じて空気中に前記データを送り出す有線通信処理部と、を備えることを特徴とする請求項１に記載の無線通信を用いた展示情報サービスシステム。 
【請求項３】
前記無線接続装置は、前記無線端末機から接続要求信号が入力されれば、接続に必要なアドレスを設定して前記無線端末機と交信し、該無線端末機の接続または接続解除を制御する制御部をさらに備えることを特徴とする請求項２に記載の無線通信を用いた展示情報サービスシステム。 
【請求項４】
前記無線接続装置は、前記無線端末機から受信された信号をネットワークを介して転送できるデータ形態に変換し、前記展示情報サーバーから受信されたデータを空気を通して転送できるデータ形態に変換するデータ変換部をさらに備えることを特徴とする請求項３に記載の無線通信を用いた展示情報サービスシステム。 
【請求項５】
前記展示情報サーバーは、前記無線端末機と接続された前記無線接続装置に対する位置情報と展示された展示品情報閲覧のために前記無線端末機により選択された展示品に対するデータを保存する無線接続装置データベースをさらに備えることを特徴とする請求項１に記載の無線通信を用いた展示情報サービスシステム。 
【請求項６】
前記展示情報サーバーは、前記無線接続装置と接続された前記無線端末機の情報を保存する無線接続情報データベースをさらに備えることを特徴とする請求項５に記載の無線通信を用いた展示情報サービスシステム。 
【請求項７】
要求された信号に対応する展示情報を提供する展示情報サービス方法において、
サービス領域に位置する無線端末機との接続を準備し、前記無線端末機に対する情報をネットワークを介して出力するための無線接続段階と、
ネットワークを介して入力された情報に対応する情報サービスに対するプロセスを行う展示情報サービス段階と、を備え、
前記無線接続段階は、
前記無線端末機から接続要求信号があるか否かを判断する段階と、
前記展示情報を提供する展示情報サーバーと接続された無線接続装置と前記無線端末機に対する接続命令信号を転送する段階と、
接続された前記無線端末機に展示関連情報提供のためのメニューが含まれた初期画面データを提供する段階と、を備え
前記展示情報サービス段階は、
前記提供された初期画面データについて前記無線端末機から情報閲覧のための展示品に対する選択信号があるのかを判断する段階と、
前記選択された信号に応ずる展示品の展示情報を提供する段階と、を備え、
前記展示情報が展示品に対するものならば、前記展示情報は展示品に対する作品解説及び画家に対する情報を含み、
前記無線端末機と前記無線接続装置との通信はブルートゥース通信方式を介して行われる
ことを特徴とする無線通信を用いた展示情報サービス方法。
【請求項８】
前記作品解説に対する情報は、展示品に対するジャンル、作品の構成、表現技法、製作過程、鑑賞法、鑑賞記のうち一種以上を含むことを特徴とする請求項７に記載の無線通信を用いた展示情報サービス方法。
【請求項９】
前記展示品の展示情報を提供する段階は、前記無線端末機にサービスの可能な無線接続装置と接続されているのかを確認する段階と、前記確認された情報に基づき選択された展示品に対する展示情報を提供する段階と、を備えることを特徴とする請求項７に記載の無線通信を用いた展示情報サービス方法。
【請求項１０】
前記サービスが可能な無線接続装置を確認する段階は、前記無線端末機に接続された前記無線接続装置及び前記無線端末機により選択された展示品に対する位置を検索する段階と、前記検索された位置を通して前記無線接続装置が前記無線端末機を介して選択された展示品についてサービスを行うよう設定された無線接続装置であることを判断する段階と、を備えることを特徴とする請求項９に記載の無線通信を用いた展示情報サービス方法。
【請求項１１】
サービス判断によりサービスの遂行が不可能な無線接続装置と判断されれば、前記無線接続装置をして前記無線端末機との接続解除命令信号を転送せしめる段階と、前記接続解除命令により前記無線接続装置と接続解除された無線端末機についてサービスを行うよう設定された無線接続装置と接続して選択された信号に応じて展示情報サービスを提供する段階と、を備えることを特徴とする請求項１０に記載の無線通信を用いた展示情報サービス方法。
【請求項１２】
前記選択された展示品に対する展示情報を提供する段階は、前記選択信号に応ずる展示品に対する展示情報に対応する詳細メニューを提供する段階と、前記提供された詳細メニューに対応する選択信号に応じて選択された対象展示品に対する詳細情報を提供する段階と、を備えることを特徴とする請求項９に記載の無線通信を用いた展示情報サービス方法。